(57)【要約】　【課題】　切り離し後に、名刺の角部が滑らかとなるカード作製用紙を提供する。【解決手段】　用紙が切断されてなる切断線と、切断されていない非切断部とが交互に形成されたマイクロミシン目１７を、用紙のカード形成領域１２を縦横に区分する仕切り線に沿って形成し、そのマイクロミシン目１７の前記非切断部を破断することにより用紙から名刺２０を切り離し可能に構成されたカード作製用紙１０の仕切り線の縦横方向の交差部分１５に、刃２３を用いた打ち抜き加工により十字状の切れ目１９を形成する。【選択図】　図１
2004025891.tif 000002
【特許請求の範囲】
【請求項１】
用紙が切断されている切断線と、切断されていない非切断部とが交互に形成されたミシン目を、用紙のカード形成領域を縦横に区分する仕切り線に沿って形成し、そのミシン目の前記非切断部を破断することにより用紙からカードを切り離し可能に構成されたカード作製用紙であって、
　前記仕切り線の縦横方向の交差部分には、前記ミシン目の非切断部を設けることなく連続的な切れ目を形成したことを特徴とするカード作製用紙。
【請求項２】
前記切れ目の長さを５．０ｍｍ以下としたことを特徴とする請求項１記載のカード作製用紙。
【請求項３】
前記切れ目は、前記カードの長辺方向に沿ったものが短辺方向に沿ったものに比べて長くされていることを特徴とする請求項１又は請求項２に記載のカード作製用紙。
【発明の詳細な説明】
【技術分野】
【０００１】
　本発明は、名刺等のカードを作製するためのカード作製用紙に関する。
【背景技術】
【０００２】
　近年、名刺などのカードを普及型プリンタなどを用いて作製するための用紙が各種提案されている。これらは、例えば図８に示すように用紙１にミシン目２Ａによって囲まれているカード形成領域４内を縦横に区分する仕切り線に沿ってミシン目２Ｂを形成した構成で、用紙１への印刷後にミシン目２Ａ，２Ｂを切り離すことによってカード３を得るものである。
【０００３】
　ところで、このような用紙１に形成されるミシン目２Ａ，２Ｂは、カード３の切り離しを容易とするとともに、切り離したカード３の端縁部が滑らかになるようにするため、切断線と非切断部とを非常に細かなピッチで交互に形成するマイクロミシン目とされている（特許文献１参照）。
【０００４】
　ここで、このマイクロミシン目を形成するためには、一般に、円柱状のローラの外周に多数のミシン刃を所定の間隔で円周上に植設したローラカッターを使用し、このローラーカッターを用紙の搬送に合わせて回転させることによって用紙の一方向にマイクロミシン目を設け、次いで、それとは直交する方向にもう一度マイクロミシン目を設けて用紙１のカード形成領域４内をマイクロミシン目によって縦横に区分するようにしていた。
【特許文献１】特開２００２−２６４５７０公報
【発明の開示】
【発明が解決しようとする課題】
【０００５】
　しかしながら、上述のカード作成用紙では、カード形成領域４を縦横に区分するミシン目２Ｂの交差部分で、必ずしも拡大図（イ）に示すようにミシン目２Ｂの切断線が十字状に交差せず、拡大図（ロ）に示すように交差部分に非切断線が位置してしまうことがある。
【０００６】
　拡大図（ロ）に示すような状態となっている場合に、ミシン目２Ｂを切り離して行くと、交差部分で非切断部を破断することになるため、非切断部の破断に伴う凹凸（毛羽立ち）が生じ、図９に示すように、切り離したカード３の角部が膨らんだ状態になってしまう。このような毛羽立ちは、カード３の角部では、より目立つことになり、カードの外観上好ましくない。
【０００７】
　本発明は、上記事情に鑑みてなされたもので、その目的は、切り離し後のカードの角部が滑らかになるようにして見栄えのよいカードを作成できるカード作製用紙を提供するところにある。
【課題を解決するための手段】
【０００８】
　上記の目的を達成するための手段として、請求項１の発明は、用紙が切断されている切断線と、切断されていない非切断部とが交互に形成されたミシン目を、用紙のカード形成領域を縦横に区分する仕切り線に沿って形成し、そのミシン目の前記非切断部を破断することにより用紙からカードを切り離し可能に構成されたカード作製用紙であって、前記仕切り線の縦横方向の交差部分には、前記ミシン目の非切断部を設けることなく連続的な切れ目を形成した構成としたところに特徴を有する。
【０００９】
　請求項２の発明は、請求項１に記載のものにおいて、前記切れ目の長さを５．０ｍｍ以下としたところに特徴を有する。
　なお、「切れ目の長さ」とは、仕切り線の交差した点から起算した切れ目の長さをいう。
【００１０】
　請求項３の発明は、請求項１または請求項２に記載のものにおいて、前記切れ目は、前記カードの長辺方向に沿ったものが短辺方向に沿ったものに比べて長くされているところに特徴を有する。
【発明の効果】
【００１１】
　＜請求項１の発明＞
　請求項１の発明によれば、カード形成領域に所定の情報を印刷した後、仕切り線に沿ってミシン目の非切断部を破断することによりカードを切り離す。ここで仕切り線の縦横方向の交差部分には、ミシン目の非切断部を設けることなく連続的な切れ目が形成されているから、切り離しに伴う凹凸（毛羽立ち）が仕切り線の交差部分には生ぜず、切り離し後に角部が滑らかで見栄えの良いカードを作製することができる。
【００１２】
　＜請求項２の発明＞
　請求項２の発明によれば、仕切り線の縦横方向の交差部分の切れ目の長さを５．０ｍｍ以下とした。切れ目の長さを５．０ｍｍ以上とした場合には、印刷時にプリンタ内部で交差部分が引っかかるおそれがあるが、切れ目の長さを５．０ｍｍ以下としたので、印刷時の不都合が生じず、切り離し後に、角部が滑らかなカードを作製することができる。なお、より好ましくは、その切れ目の長さを３．０ｍｍ以下とすることがよい。
【００１３】
　＜請求項３の発明＞
　請求項３の発明によれば、切れ目は、カードの長辺方向に沿ったものが短辺方向に沿ったものに比べて長くされているから、カードの大きさに対する切れ目の形成されていた箇所の長さのバランスがよくなり、外観上より好ましいカードを作製することができる。
【発明を実施するための最良の形態】
【００１４】
　＜第１実施形態＞
　本発明の第１実施形態を図１ないし図５によって説明する。本実施形態のカード作製用紙１０は、市販のプリンタ１６を用いて所望の情報を印刷後、切り離すことにより名刺２０を作製するためのものである。
【００１５】
　カード作製用紙１０はＡ４サイズの用紙からなり、この用紙の４辺に沿った縁部１１を残した領域がカード作製用紙１０より僅かに小さな矩形状をなすカード形成領域１２とされている。
【００１６】
　カード形成領域１２は、その長辺方向の両端部から横方向の６本の仕切り線で５行に等間隔に区分されるとともに、その短辺方向の両端部から縦方向の３本の仕切り線で２列に等間隔に区分される。そして、これらの仕切り線に区分された縦方向に５行、横方向に２列に並んだ１０箇所の矩形の領域がそれぞれ名刺２０と同じ大きさの名刺領域１４とされている。
　なお、これらの仕切り線は位置や領域を示すためのものであり、現実に形成される線ではない。
【００１７】
　カード形成領域１２を横方向及び縦方向に区分する仕切り線には、その仕切り線の交差部分１５を除いて、仕切り線に沿って用紙が切断されてなる切断線と、切断されていない非切断部とが交互に形成された横方向及び縦方向のマイクロミシン目１７Ａ,１７Ｂが形成されている。
【００１８】
　また、カード作製用紙１０の上部の縁部１１のうち、縦方向の３本の仕切り線の上部には、仕切り線に形成されたマイクロミシン目１７Ｂが延出して形成され、名刺２０の切り離しが容易となる切り離し線１８とされている。
【００１９】
　さて、カード形成領域１２を区分する仕切り線の交差部分１５には、横方向の切れ目１９Ａ及び縦方向の切れ目１９Ｂからなる十字状の切れ目１９（本発明の「連続的な切れ目」に相当する）が形成されている。この十字状の切れ目１９の長さは、横方向の切れ目１９Ａ及び縦方向の切れ目１９Ｂ共に仕切り線の交差した点から５．０ｍｍ以下とされている。このような長さの切れ目１９とすることで、印刷時に仕切り線の交差部分１５がプリンタ１６内部で引っかかることがなく、印刷時の不都合が生じにくくなる。
【００２０】
　なお、本実施形態のカード作製用紙の製造方法は次の通りである。
　打抜機（図示しない）の下盤に、マイクロミシン目１７の切断部を形成するための刃２３を備えた刃型２４（図２参照）をセットする。そして、刃型２４の上にＡ４サイズの用紙を位置し、打抜機の上盤または下盤を作動させ、打ち抜く。そうすると、交差部分１５を除く仕切り線及び切り離し線１８上にマイクロミシン目１７が形成されるとともに、交差部分１５には十字状の切れ目１９の形成されたカード作製用紙１０が完成する。なお、十字状の刃２３は、例えばいわゆる腐食刃の製法であるエッチングにより形成することができる。
【００２１】
　次に、本実施形態のカード作製用紙を用いて名刺を作製する方法について図３ないし図５によって説明する。
　まず、プリンタ１６によりカード作製用紙１０の片面又は両面に、氏名、住所、電話番号などの情報を印刷する（図３,図４（Ａ）参照）。そして、図４（Ｂ）に示すように、カード作製用紙１０の上部の縁部１１に形成された切り離し線１８と、縦方向の仕切り線とをマイクロミシン目１７Ｂに沿って数回折り曲げると、マイクロミシン目１７Ｂの非切断部が破断される。そして、この作業を縦方向及び横方向の仕切り線に繰り返し、全ての仕切り線及び切り離し線１８についてマイクロミシン目１７の非切断部が破断されると、各名刺２０が切り離された状態になり、１０枚の名刺２０が作製される（図５参照）。
【００２２】
　このように、仕切り線の縦横方向の交差部分１５には、ミシン目の非切断部を設けることなく、十字状の切れ目１９が形成されているから、切り離しに伴う凹凸（毛羽立ち）が交差部分１５に生じず、切り離し後に、角部が滑らかで見栄えの良い名刺２０を作製することができる。
【００２３】
　＜第２実施形態＞
　次に、本発明の第２実施形態を図６によって説明する。
　本実施形態では仕切り線の交差部分１５に設けた切れ目の長さが上記第１実施形態と相違する。他の同様の構成に関しては同様の符号を付して重複する説明は省略する。
【００２４】
　第１実施形態においては、仕切り線の交差部分１５に形成された十字状の切れ目１９の長さは横方向の切れ目１９Ａ及び縦方向の切れ目１９Ｂについて同じ長さであったが、本実施形態では、名刺領域１４の横方向及び縦方向の長さに比例した長さの切れ目２１が形成されている。具体的には、名刺の大きさが横方向が９１ｍｍ,縦方向が５５ｍｍであるので、この比率で横方向の切れ目２１Ａ及び縦方向の切れ目２１Ｂが形成される。また、具体的な長さは、切れ目２１のうち長い方の切れ目である横方向の切れ目２１Ａの長さが５ｍｍ以下とされている。
【００２５】
　カード作製用紙１０の仕切り線に沿って名刺２０を切り離すと、マイクロミシン目１７の非切断部であった部分に若干の毛羽立ちが生じ、予め切れ目１９が形成されることにより毛羽立ちの全く生じていない交差部分１５との外観上の差異が生じてしまう。しかし、上記構成によれば、名刺２０の大きさに対する切れ目２１の長さのバランスがよく、マイクロミシン目１７を切り離した部分と、交差部分１５との外観上の差異が目立たなくなり、外観上好ましい名刺２０を作製することができる。
【００２６】
　＜他の実施形態＞
　本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２７】
　（１）上記実施形態では、刃型２４による打ち抜き加工は、カード形成領域１２の全体について１度に行ったが、横方向のマイクロミシン目１７Ａと縦方向のマイクロミシン目１７Ｂとを別々に打ち抜き加工を施してもよい。例えば、横方向の６本のマイクロミシン目１７Ａについて１度に打ち抜き加工を行った後で、縦方向の３本のマイクロミシン目１７Ｂについて１度に打ち抜き加工を行ってもよい。もちろん、マイクロミシン目の縦横の本数については、これに限られない。
【００２８】
　（２）上記実施形態では、仕切り線の全ての交差部分１５で十字状の切れ目１９,２１を形成したが、仕切り線の交差した部分に切れ目が形成されていれば、十字状でなくともよく、図７に示すように、仕切り線が鉤状に交差する部分に鉤状の切れ目１９,２１を形成してもよく、また、仕切り線がＴ字状に交差する部分にＴ字状の切れ目１９,２１を形成してもよい。
【００２９】
　（３）上記実施形態では、カード作製用紙１０は名刺２０を作製するための用紙であるとしたが、他のカードを作製するための用紙であってもよい。例えば、グリーティングカード、メッセージカード、会員カードなど種々のカードであってもよい。
【００３０】
　（４）本実施形態ではカード作製用紙１０のサイズはＡ４サイズとしたが、これに限られず、その他のサイズでもよい。
【００３１】
　（５）上記実施形態では、仕切り線にはマイクロミシン目１７が形成されている構成としたが、通常のミシン目であってもよい。
【図面の簡単な説明】
【００３２】
【図１】本発明の第１実施形態に係るカード作製用紙の平面図及び部分拡大図
【図２】刃型の部分拡大図
【図３】同じくカード作製用紙に所定の情報を印刷している状態を示す斜視図
【図４】（Ａ）印刷されたカード作製用紙を示す斜視図　（Ｂ）カード作製用紙から名刺を切り離す際に折り曲げた図
【図５】カード作製用紙により作製した名刺の斜視図
【図６】本発明の第２実施形態に係るカード作製用紙の平面図及び部分拡大図
【図７】他の実施形態のカード作製用紙の平面図及び部分拡大図
【図８】従来のカード作製用紙の平面図及び部分拡大図
【図９】従来のカード作製用紙によって作製した名刺の斜視図
【符号の説明】
【００３３】
　１０…カード作製用紙
　１２…カード形成領域
　１５…交差部分
　１９,２１…切れ目（連続的な切れ目）
　２０…名刺（カード）
【図１】
2004025891.tif 000003
【図２】
2004025891.tif 000004
【図３】
2004025891.tif 000005
【図４】
2004025891.tif 000006
【図５】
2004025891.tif 000007
【図６】
2004025891.tif 000008
【図７】
2004025891.tif 000009
【図８】
2004025891.tif 000010
【図９】
2004025891.tif 000011